(57)【要約】【課題】上階側の直線部と下階側の直線部が廻り部で連結された階段において、現場における施工負担を軽減させることができる階段構造を得る。【解決手段】階段２２は、上階床部２０から建物下方側に傾斜して配置された上階直線部２４と、下階床部１８から建物上方側に傾斜して配置された下階直線部２６が廻り部２８によって連結されている。また、廻り部２８は、鋼板の折り曲げ加工により形成された上段階段部材３６を少なくとも一つ含んで構成されている。ここで、上段階段部材３６は、略水平方向に延在する上段踏板部４０と、上段踏板部４０の一端に設けられる蹴込板部４２と、上段踏板部４０の他端に設けられる上段取付板部４４と、が一体に形成されている。また、上段取付板部４４は、直接又は部材を介して間接的に直線部２３に配置された力桁３０若しくは柱１３又はその両方に固定可能とされている。【選択図】図３
2020105824.tif 000002
【特許請求の範囲】
【請求項１】
上階の床部から建物下方側に傾斜して配置された上階直線部と、下階の床部から建物上方側に傾斜して配置された下階直線部とを備えた直線部と、
前記上階直線部の下端部と前記下階直線部の上端部とを連結する廻り部と、
前記廻り部の一部を構成し、金属板の折り曲げ加工により、略水平方向に延在する踏板部と、前記踏板部の一端に設けられる蹴込板部と、前記踏板部の他端に設けられ、直接又は部材を介して間接的に前記直線部に配置された桁若しくは建物躯体又はその両方に固定された取付板部と、が一体に形成された少なくとも一つの階段部材と、
を有する階段構造。
【請求項２】
前記階段部材は、前記踏板部の建物下方側に下段踏板部が隣接して配置され、
前記蹴込板部は、前記踏板部の一端から垂下されて、前記踏板部と前記下段踏板部との間に架け渡されると共に、その下端部から前記踏板部側へ略水平に延在する固定フランジ部が直接又は部材を介して前記下段踏板部に固定されている、
請求項１に記載の階段構造。
【請求項３】
前記廻り部は、前記階段部材の建物下方側に隣接して配置され、金属板の折り曲げ加工により、略水平方向に延在する下段踏板部と、前記下段踏板部の一端に設けられる下段取付板部と、が一体に形成された下段階段部材を有し、
前記下段取付板部は、直接又は部材を介して間接的に前記直線部に配置された桁若しくは建物躯体又はその両方に固定されている、
請求項２に記載の階段構造。
【請求項４】
前記廻り部は、前記階段部材の建物下方側に隣接して配置され、平板状の下段踏板部と、前記下段踏板部が上部に載置される枠状体を備える下段階段部材を有し、
前記枠状体は、直接又は部材を介して間接的に前記直線部に配置された桁若しくは建物躯体又はその両方に固定されている、
請求項２に記載の階段構造。
【請求項５】
前記廻り部は、前記階段部材の取付板部と、前記下段階段部材の前記枠状体とを建物上下方向に連結する固定部材を備えている、
請求項４に記載の階段構造。
【請求項６】
前記固定フランジ部は、建物上下方向に延在すると共に、一端が前記固定フランジ部に固定され、他端が前記枠状体を介して前記下段踏板部に固定された複数の連結部材を介して前記下段踏板部に固定され、前記蹴込板部と前記下段踏板部との間に隙間が形成されている、
請求項４又は請求項５に記載の階段構造。
【発明の詳細な説明】
【技術分野】
【０００１】
本発明は、階段構造に関する。
【背景技術】
【０００２】
特許文献１には、建物の一階と二階を繋ぐ折り返し階段が記載されている。この折り返し階段では、一階側の直線部と二階側の直線部が廻り部（曲がり部）によって結ばれた構造となっている。また、この折り返し階段の廻り部は、一枚の金属板を折り曲げることにより、２つの踏板部（段板）と、２つの踏板部同士を繋ぐ蹴込板部（けこみ板）が形成されており、当該金属板が力桁（ささら桁）に載置されて下方側から支持される構造となっている。
【０００３】
ところで、上記先行技術文献に開示された折り返し階段では、階段の直線部と廻り部を支持する力桁が一体に形成されている。具体的には、一階の基礎コンクリート上に立設した支持フレームと壁フレームの中間との間に掛け渡された一対のささら桁によって、一階側の直線部と廻り部に配置される階段部材が支持されている。一対のささら桁は、一階側から斜め上方側に傾斜された傾斜部を備え、傾斜部の上端部から先端までが水平方向に折り曲げられている。また、一対のささら桁の先端部と折曲部の間には、桁繋ぎが架け渡されている。そして、傾斜部に直線部の踏板となる階段部材が固定され、水平方向に折り曲げられたささら桁の上部及び桁繋ぎに廻り部の踏板を構成する金属板の階段部材が固定されている。
【先行技術文献】
【特許文献】
【０００４】
【特許文献１】特開平１１−１４８２１３号公報
【０００５】
上記先行技術では、階段の廻り部の踏板部及び蹴込部が折り曲げ加工された一枚の金属板を用いて簡単に形成できるという点で施工性の良い構造とされている。しかし、階段の直線部と廻り部を支持する力桁が一体に形成されているため、ささら桁が大型化し、重量化する。このため、階段の施工にはクレーン等の大型の重機を用いる必要があり、現場での施工負担が増大する。
【発明の概要】
【発明が解決しようとする課題】
【０００６】
本発明は上記事実を考慮し、上階側の直線部と下階側の直線部が廻り部で連結された階段において、現場における施工負担を軽減させることができる階段構造を得ることが目的である。
【課題を解決するための手段】
【０００７】
第１の態様に係る階段構造は、上階の床部から建物下方側に傾斜して配置された上階直線部と、下階の床部から建物上方側に傾斜して配置された下階直線部とを備えた直線部と、前記上階直線部の下端部と前記下階直線部の上端部とを連結する廻り部と、前記廻り部の一部を構成し、金属板の折り曲げ加工により、略水平方向に延在する踏板部と、前記踏板部の一端に設けられる蹴込板部と、前記踏板部の他端に設けられ、直接又は部材を介して間接的に前記直線部に配置された桁若しくは建物躯体又はその両方に固定された取付板部と、が一体に形成された少なくとも一つの階段部材と、を有している。
【０００８】
第１の態様に係る階段構造では、上階の床部から建物下方側に傾斜して配置された上階直線部と、下階の床部から建物上方側に傾斜して配置された下階直線部が廻り部によって連結されている。また、廻り部は、金属板の折り曲げ加工により形成された階段部材を少なくとも一つ含んで構成されている。
【０００９】
ここで、当該階段部材は、略水平方向に延在する踏板部と、踏板部の一端に設けられる蹴込板部と、踏板部の他端に設けられる取付板部と、が一体に形成されている。また、取付板部は、直接又は部材を介して間接的に上階直線部及び下階直線部を含む直線部に配置された桁又は建物躯体若しくはその両方に固定可能とされている。このように、階段部材は、金属板の折り曲げ加工により踏板部と蹴込板部を容易に形成すると共に、踏板部の一端に直線部の桁や建物躯体に固定される取付板部を一体形成することで直線部とは独立した構造体とすることができる。これにより、階段の廻り部が、直線部と一体に形成された桁を用いて支持される構造と比べて、直線部と廻り部の組み付け作業を別々に行うことができ、現場での施工負担が軽減される。
【００１０】
第２の態様に係る階段構造は、第１の態様に記載の構成において、前記階段部材は、前記踏板部の建物下方側に下段踏板部が隣接して配置され、前記蹴込板部は、前記踏板部の一端から垂下されて、前記踏板部と前記下段踏板部との間に架け渡されると共に、その下端部から前記踏板部側へ略水平に延在する固定フランジ部が直接又は部材を介して前記下段踏板部に固定されている。
【００１１】
第２の態様に係る階段構造では、階段部材の蹴込板部が、踏板部の一端から垂下されており、踏板部と下段踏板部との間に架け渡されている。ここで、蹴込板部と下段踏板部は、蹴込板部の下端部から踏板部側へ略水平に延在する固定フランジ部を用いて直接又は部材を介して固定されている。これにより、蹴込板部の固定部が廻り部の表面に露出されず、廻り部の表面に意匠面となる仕上げ材を設定する際の作業性が向上される。
【００１２】
第３の態様に係る階段構造は、第２の態様に記載の構成において、前記廻り部は、前記階段部材の建物下方側に隣接して配置され、金属板の折り曲げ加工により、略水平方向に延在する下段踏板部と、前記下段踏板部の一端に設けられる下段取付板部と、が一体に形成された下段階段部材を有し、前記下段取付板部は、直接又は部材を介して間接的に前記直線部に配置された桁若しくは建物躯体又はその両方に固定されている。
【００１３】
第３の態様に係る階段構造では、廻り部の階段部材の建物下方側に、下段階段部材が隣接して配置されている。この下段階段部材は、金属板の折り曲げ加工により、略水平方向に延在する下段踏板部と、下段踏板部の一端に設けられる下段取付板部とが一体に形成されている。また、上述した階段部材と同様に、下段取付板部は、直接又は部材を介して間接的に前記直線部に配置された桁若しくは建物躯体又はその両方に固定可能とされている。上記構成により、廻り部では、それぞれ踏板を備える階段部材と下段階段部材が、独立した構造体として直線部の桁や建物躯体にそれぞれ固定されている。これにより、階段の廻り部に配置された複数の踏板を一体に形成する構造と比べて、廻り部の個々の部材が軽量化される。しかも、階段部材と下段階段部材は、金属板を折り曲げてなる簡単な構成であるため、部品点数が少なく、取付作業が容易である。その結果、廻り部全体の組み付け作業を容易に行うことができる。
【００１４】
第４の態様に係る階段構造は、第２の態様に記載の構成において、前記廻り部は、前記階段部材の建物下方側に隣接して配置され、平板状の下段踏板部と、前記下段踏板部が上部に載置される枠状体を備える下段階段部材を有し、前記枠状体は、直接又は部材を介して間接的に前記直線部に配置された桁若しくは建物躯体又はその両方に固定されている。
【００１５】
第４の態様に係る階段構造では、廻り部の階段部材の建物下方側に、下段階段部材が隣接して配置されている。この下段階段部材は、平板状の下段踏板部が、枠状体の上部に載置される構造とされている。また、枠状体は、直接又は部材を介して間接的に前記直線部に配置された桁若しくは建物躯体又はその両方に固定されている。このように、下段階段部材は、下段踏板部が枠状体に載置された状態で下方側から支持されているため、下段踏板部の支持剛性が高められている。これにより、下段階段部材を含む廻り部全体の剛性を向上させることができる。
【００１６】
第５の態様に係る階段構造は、第４の態様に記載の構成において、前記廻り部は、前記階段部材の取付板部と、前記下段階段部材の前記枠状体とを建物上下方向に連結する固定部材を備えている。
【００１７】
第５の態様に係る階段構造では、廻り部に、階段部材の取付板部と、下段階段部材の枠状体とを建物上下方向に連結する固定部材が設けられている。これにより、階段部材の踏板部が、固定部材を介して枠状体に支持されている。これにより、下段踏板部に加えて踏板部の支持剛性も高めることができ、廻り部の全体の剛性を一層向上させることができる。
【００１８】
第６の態様に係る階段構造は、第４の態様又は第５の態様に記載の構成において、前記固定フランジ部は、建物上下方向に延在すると共に、一端が前記固定フランジ部に固定され、他端が前記枠状体を介して前記下段踏板部に固定された複数の連結部材を介して前記下段踏板部に固定され、前記蹴込板部と前記下段踏板部との間に隙間が形成されている。
【００１９】
第６の態様に係る階段構造では、固定フランジ部が連結部材及び枠状体を介して下段踏板部に固定されることにより、蹴込板部と下段踏板部との間に隙間が形成されている。このため、蹴込板部と下段踏板部の表面に仕上げ材を設定する際に、蹴込側と踏板側の仕上げ材を廻り部に別々に運び入れた後に固定することが可能となる。
【００２０】
例えば、蹴込板部に沿って立設された蹴込側の仕上げ材と下段踏板部に載置される仕上げ材とを設置場所に置いた後、蹴込板部の裏側から蹴込側の仕上げ材の下端部と踏板側の仕上げ材の後端部との突き当て部にビス等を打ち込んで仕上げ材同士を固定することが可能となる。このため、施工スペースの狭い建築現場で仕上げ材を設定する場合でも、蹴込側と踏板側の仕上げ材を別々に運び入れた後に固定することができ、これらを予め固定した状態で運び入れて施工する場合に比べて作業スペースを必要としない。よって、比較的施工スペースが狭い建築現場においても、階段の廻り部に対して容易に仕上げ材を設定することが可能となる。
【発明の効果】
【００２１】
以上説明したように、第１の態様に係る階段構造によれば、上階側の直線部と下階側の直線部が廻り部で連結された階段において、現場における施工負担を軽減させることができるという優れた効果を有する。
【００２２】
第２の態様に係る階段構造によれば、廻り部の表面に意匠面となる仕上げ材を設定する際の作業性を向上させることができるという優れた効果を有する。
【００２３】
第３の態様に係る階段構造によれば、廻り部の組み付け作業を容易に行うことができるという優れた効果を有する。
【００２４】
第４の態様に係る階段構造によれば、下段階段部材を含む廻り部全体の剛性を向上させることができるという優れた効果を有する。
【００２５】
第５の態様に係る階段構造によれば、踏板部と下段踏板部の支持剛性を高めることで、廻り部の全体の剛性を一層向上させることができるという優れた効果を有する。
【００２６】
第６の態様に係る階段構造によれば、比較的施工スペースが狭い建築現場においても、階段の廻り部に対して容易に仕上げ材を設定することができるという優れた効果を有する。
【図面の簡単な説明】
【００２７】
【図１】第１実施形態に係る階段構造が適用された階段の側面図である。
【図２】図１に示す階段の平面図である。
【図３】第１実施形態に係る廻り部の斜視図である。
【図４】（Ａ）は、図３に示す上段階段部材を構成する鋼板の展開図であり、（Ｂ）は、図３に示す上段階段部材の斜視図である。
【図５】（Ａ）は、図３に示す下段階段部材を構成する鋼板の展開図であり、（Ｂ）は、図３に示す下段階段部材の斜視図である。
【図６】第２実施形態に係る廻り部を示す図３に対応する斜視図である。
【図７】（Ａ）は、図６に示す下段階段部材を構成する鋼板の展開図であり、（Ｂ）は、図６に示す下段階段部材の斜視図である。
【図８】第３実施形態に係る廻り部を示す図３に対応する斜視図である。
【図９】（Ａ）は、図８に示す上段階段部材を構成する鋼板の展開図であり、（Ｂ）は、図８に示す上段階段部材の斜視図である。
【図１０】（Ａ）は、図８に示す下段階段部材を構成する下段踏板部の平面図であり、（Ｂ）は、下段階段部材を構成する枠状体を示す斜視図である。
【図１１】第４実施形態に係る廻り部を示す図３に対応する斜視図である。
【図１２】図１１に示す廻り部の分解斜視図である。
【図１３】廻り部に仕上げ材を設定する方法を説明するための部分斜視図である。
【図１４】変形例に係る階段を示す平面図である。
【発明を実施するための形態】
【００２８】
〔第１実施形態〕
以下、図１〜図５を用いて、第１実施形態に係る階段構造が適用された階段２２について説明する。図１には、階段２２が適用された建物１０が側面図にて概略的に示されている。また、図２には、階段２２が平面図にて示されている。なお、図１では、説明の便宜上、階段室１２の左側壁１２Ａ、前側壁１２Ｂ、右側壁１２Ｃ、中間壁１２Ｄの図示を省略している。
【００２９】
これらの図に示されるように、階段２２は、平面視で略Ｕ字状をなす折り返し階段とされている。階段２２は、建物１０の階段室１２の内部に設置されており、建物１０の下階空間１４と上階空間１６とを連通させている。階段室１２は、階段２２の上がり口及び下り口側を除く３方が左側壁１２Ａ、前側壁１２Ｂ、右側壁１２Ｃによって囲われていると共に、上がり口側と下り口側との間に中間壁１２Ｄが設けられている。また、階段室１２は、前側壁１２Ｂに沿って、建物躯体としての複数の柱１３が配置されている。具体的には、左側壁１２Ａと前側壁１２Ｂの角部から、柱１３Ａ、１３Ｂ、１３Ｃがこの順で配置されている。柱１３Ａ、１３Ｂ、１３Ｃは、各々が角型とされ、建物高さ方向を長手方向として互いに平行に配置されている。
【００３０】
階段２２は、上階直線部２４と下階直線部２６を備える直線部２３と、一対の廻り部２８とを備えている。直線部２３の上階直線部２４は、階段室１２の左側壁１２Ａに沿って配置され、階段２２の下り口を形成する上階床部２０から建物下方側へ傾斜して配置された直階段部である。上階直線部２４は、所定の間隔を空けて平行に配置された一対の力桁３０と、力桁３０の上に固定される複数の段板部材３２で構成されている。上階直線部２４の力桁３０は、その上端部が上階床部２０を支持する床梁２５に固定され、建物下方側へ傾斜して配置されている。また、段板部材３２は、踏板部と蹴込板部を備える板材で、力桁３０に載置された状態でボルト締結されている。この段板部材３２の表面には意匠面となる仕上げ材３４が設定されている。なお、力桁３０が本発明における「桁」に相当する。
【００３１】
一方、直線部２３の下階直線部２６は、階段室１２の右側壁１２Ｃに沿って配置され、階段２２の上がり口を形成する下階床部１８から斜め上方側へ延在された直階段部である。また、下階直線部２６は、平面視で上階直線部２４と略平行に配置されている。下階直線部２６は、上述した上階直線部２４と同様、一対の力桁３０と複数の段板部材３２を備えている。下階直線部２６の力桁３０は下端部が下階床部１８に連結され、建物上方側へ傾斜して配置されている。段板部材３２の構造は、上階直線部２４の段板部材３２と同様であるため、記載を割愛する。
【００３２】
一対の廻り部２８は、階段２２の建物上下方向の中間部に設けられ、上述した上階直線部２４と下階直線部２６とを連結させている。一対の廻り部２８は、上階直線部２４の下端部側に設けられた廻り部２８Ａと、下階直線部２６の上端部側に配置された廻り部２８Ｂと、を備えている。廻り部２８Ｂは、廻り部２８Ａに隣接して配置され、かつ、廻り部２８Ａの建物上下方向の下方側に配置されている。この廻り部２８Ｂは、構造的には廻り部２８Ａと同様であり、図２に示す廻り部２８Ａを時計回りに９０°回転させた向きにおいて、下階直線部２６の上端部側に設置したものである。
【００３３】
また、廻り部２８Ａ、２８Ｂは、それぞれ二段分の階段部を形成しており、各々が平面視で略Ｌ字状に昇降可能とされている。廻り部２８Ａ、２８Ｂは、上述したように互いに９０°異なる向きに設置されることにより平面視で略Ｕ字状に折り返すように昇降可能な階段部を形成している。これにより、上階直線部２４と下階直線部２６が、廻り部２８Ａ、２８Ｂによって折り返されて連結されている。
【００３４】
以下、一対の廻り部２８の構成について詳細に説明する。なお、廻り部２８Ａと廻り部２８Ｂの構造は同様であるため以降では上階直線部２４の下端部側に配置された廻り部２８Ａを中心に説明する。
【００３５】
（廻り部２８Ａ）
図３に示されるように、廻り部２８Ａは、建物上方側の段部を形成する上段階段部材３６と、上段階段部材３６に隣接して配置され、下方側の段部を形成する下段階段部材３８とを備えている。ここで、図４（Ａ）には、上段階段部材３６を構成する鋼板の展開図が示されている。また、図４（Ｂ）には、図４（Ａ）に示される鋼板を、図４（Ａ）の破線に沿って折り曲げてなる上段階段部材３６の斜視図が示されている。
【００３６】
これらの図に示されるように、上段階段部材３６は、所定の形状に打ち抜いた鋼板が折り曲げられることにより形成されている。具体的には、上段階段部材３６は、略水平面に沿って延在する上段踏板部４０と、上段踏板部４０の一端に設けられた蹴込板部４２と、上段踏板部４０の他端に設けられた上段取付板部４４が一体に形成されている。なお、上段階段部材３６が本発明における「階段部材」に相当し、上段踏板部４０が「踏板部」に相当し、上段取付板部４４が「取付板部」に相当する。
【００３７】
図２及び図４（Ａ）に示されるように、上段踏板部４０は、上階直線部２４側に配置された一端を構成する上辺部４０Ａと、階段室１２の左側壁１２Ａに配置された一端を構成する左辺部４０Ｂと、下段階段部材３８に配置された一端を構成する下辺部４０Ｃと、を有し、平面視で略三角形状をなしている。
【００３８】
図４（Ｂ）に示されるように、蹴込板部４２は、上段踏板部４０の下辺部４０Ｃから略鉛直下方側へ垂下されており、正面視で略矩形状に形成されている。この蹴込板部４２は、上段踏板部４０と後述する下段踏板部６２を建物上下方向に繋ぐ蹴込板部を構成している。なお、蹴込板部４２の階段幅寸法は、下辺部４０Ｃの長さよりも短く設定されている。このため、上段階段部材３６は、正面視で、蹴込板部４２の階段幅方向の両側に上段踏板部４０の下方側へ連通された空間４３が形成されている（図３参照）。
【００３９】
また、蹴込板部４２の下端部には、当該下端部から上段踏板部４０側へ略水平に延在した固定フランジ部４６が形成されている。固定フランジ部４６は、上段階段部材３６を下段階段部材３８へボルト締結する際の取付け面となっており、板厚方向に貫通された３つのフランジ孔４８が形成されている。
【００４０】
一方、上段取付板部４４は、第１板部５０と、第２板部５２とを備えている。第１板部５０は、上段踏板部４０の上辺部４０Ａから略鉛直下方側へ垂下され正面視で略矩形状に形成されている。第１板部５０は、上辺部４０Ａの延在方向を長手方向とし、長手方向の両側に板厚方向に貫通する２つの第１孔５４がそれぞれ形成されている。第１孔５４は、上階直線部２４の一対の力桁３０に形成された貫通孔３１に対応しており、当該貫通孔３１を貫通する図示しないボルトが締め込まれる。これにより、第１板部５０が上階直線部２４の力桁３０に固定されている(図３参照)。
【００４１】
図３及び図４（Ｂ）に示されるように、第２板部５２は、上段踏板部４０の左辺部４０Ｂから略鉛直下方側へ垂下され、正面視で略矩形状に形成されている。第２板部５２は、左辺部４０Ｂの延在方向を長手方向とし、長手方向の一端に板厚方向に貫通する２つの第２孔５６が形成されている。この第２孔５６は、第１ブラケット５８の貫通孔６０に対応している。第１ブラケット５８は、断面略Ｌ字状のアングルで構成され、一方の側面が階段室１２の左側壁１２Ａと前側壁１２Ｂとの角部に配置された柱１３Ａに溶接等の方法で固定されている。また、第１ブラケット５８の他方の側面は、第２板部５２に対して略平行に配置されており、板厚方向に貫通する貫通孔６０が形成されている。第２孔５６には、第１ブラケット５８の貫通孔６０を貫通する図示しないボルトが締め込まれている。これにより第２板部５２が柱１３Ａに第１ブラケット５８を介して固定されている。
【００４２】
上記構成により、上段階段部材３６は、上段取付板部４４によって、上階直線部２４の力桁３０と、柱１３Ａに固定されて支持されている。
【００４３】
また、図３に示されるように、本実施形態では上段階段部材３６に補剛部材６１を設けて上段踏板部４０の支持剛性を高めている。補剛部材６１は、一例として断面略Ｌ字状のアングルとされ、蹴込板部４２と第１板部５０との間を架け渡されるようにして延在している。補剛部材６１は、縦断面視で建物高さ方向に延在する垂直面部６１Ａと垂直面部６１Ａの上端から直角に屈曲して略水平方向に延在する水平面部６１Ｂとを備えている。この補剛部材６１の長手方向の両端部では、垂直面部６１Ａの端部が蹴込板部４２及び第１板部５０にそれぞれ溶接され、水平面部６１Ｂの端部が上段踏板部４０に溶接されている。そして、水平面部６１Ｂの上面は、上段踏板部４０の下面に当接しており、上段踏板部４０を建物下方側から支持している。さらに、上段階段部材３６の上段踏板部４０及び蹴込板部４２の表面には、意匠面を構成する仕上げ材３４が設定されている（図１及び図２参照）。なお、図２、図４〜図５では、説明の便宜のため、上述した補剛部材６１の図示を省略している。
【００４４】
一方、図３に示されるように、上段階段部材３６の建物下方側には、上段踏板部４０の下辺部４０Ｃ側に隣接して、下段階段部材３８が配置されている。ここで、図５（Ａ）には、下段階段部材３８を構成する鋼板の展開図が示されている。また、図５（Ｂ）には、図５（Ａ）に示される鋼板を、図５（Ａ）の破線に沿って折り曲げてなる下段階段部材３８の斜視図が示されている。
【００４５】
これらの図に示されるように、下段階段部材３８も、上述した上段階段部材３６と同様に、所定の形状に打ち抜いた鋼板が折り曲げられることにより形成されている。具体的には、下段階段部材３８は、略水平面に沿って延在する下段踏板部６２と、下段踏板部６２の一端に設けられた下段取付板部６４が一体に形成されている。
【００４６】
図２及び図５（Ａ）に示されるように、下段踏板部６２は、平面視で蹴込板部４２に沿って配置された蹴込辺部６２Ａと、階段室１２の前側壁１２Ｂ側に配置された一端を構成する前辺部６２Ｂと、階段室１２の右側壁１２Ｃ側に配置された一端を構成する右辺部６２Ｃと、を有し、平面視で略三角形状をなしている。
【００４７】
図５（Ｂ）に示されるように、蹴込辺部６２Ａは、平面視で上段踏板部４０の下辺部４０Ｃと重なるように配置されており、下辺部４０Ｃから垂下された蹴込板部４２の固定フランジ部４６が載置されている。また、蹴込辺部６２Ａには、固定フランジ部４６のフランジ孔４８に対応する貫通孔６６が形成されている。下段踏板部６２には、建物下方側から貫通孔６６とフランジ孔４８を貫通するボルト６８が挿通され、ボルト６８が固定フランジ部４６の上面に配置されたナット６９に螺合される。これにより、上段階段部材３６の蹴込板部４２が、固定フランジ部４６を介して下段踏板部６２に固定されている（図３参照）。なお、固定フランジ部４６の上面側からボルト６８を挿通し、下段踏板部６２の下面にナット６９を配置して蹴込板部４２を下段踏板部６２に固定してもよい。
【００４８】
図３及び図５（Ｂ）に示されるように、下段取付板部６４は、第３板部７０と、第４板部７２と、第５板部７４と、第６板部７６と、を備えている。第３板部７０及び第４板部７２は、下段踏板部６２の蹴込辺部６２Ａの両側に形成され、略鉛直下方側へ垂下されている。第３板部７０は、上階直線部２４の力桁３０に対して略平行に配置されており、板厚方向に貫通する２つの第３孔７１が形成されている。第３孔７１は、上階直線部２４の力桁３０に形成された貫通孔３１に対応しており、当該貫通孔３１を貫通する図示しないボルトが締め込まれる。これにより、第３板部７０が、上階直線部２４の力桁３０に固定されている。
【００４９】
一方、第４板部７２は、上述した第１ブラケット５８に対して略平行に配置されており、板厚方向に貫通する２つの第４孔７３が形成されている。第４孔７３は、第１ブラケット５８の貫通孔６０に対応しており、当該貫通孔６０を貫通する図示しないボルトが締め込まれている。これにより、第４板部７２が、第１ブラケット５８を介して柱１３Ａに固定されている。
【００５０】
また、第５板部７４は、下段踏板部６２の前辺部６２Ｂから略鉛直下方側に垂下されている。また、第６板部７６は、下段踏板部６２の右辺部６２Ｃから略鉛直下方側に垂下されている。この第６板部７６には、長手方向の一端に板厚方向に貫通する第６孔７９が形成されている。第６孔７９は、第２ブラケット８０の貫通孔８２に対応している。
【００５１】
第２ブラケット８０は、上述した第１ブラケット５８と同様に断面Ｌ字状のアングルで構成されており、一方の側面が柱１３Ｂに溶接等の方法で固定されている。また、第２ブラケット８０の他方の側面は、第６板部７６に対して略平行に配置されている。第６孔７９には、第２ブラケット８０の貫通孔８２を貫通する図示しないボルトが締め込まれている。これにより、第６板部７６が、第２ブラケット８０を介して柱１３Ｂに固定されている。
【００５２】
上記構成により、下段階段部材３８は、下段取付板部６４によって、上階直線部２４の力桁３０と、柱１３Ａ、１３Ｂに固定されて支持されている。
【００５３】
また、図３に示されるように、下段階段部材３８には、上述した上段階段部材３６と同様の補剛部材６１が設けられて、下段踏板部６２の支持剛性が高められている。下段階段部材３８の補剛部材６１は、下段取付板部６４の第５板部７４と、第６板部７６との間を架け渡されるように延在している。補剛部材６１の長手方向の両端部では、垂直面部６１Ａの端部が第５板部７４及び第６板部７６にそれぞれ溶接され、水平面部６１Ｂの端部が下段踏板部６２に溶接されている。そして、水平面部６１Ｂの上面は、下段踏板部６２の下面に当接しており、下段踏板部６２を建物下方側から支持している。さらに、下段階段部材３８の下段踏板部６２及び第６板部７６の表面には、上述した上段階段部材３６と同様に、仕上げ材３４が設定されている（図１及び図２参照）。
【００５４】
（廻り部２８Ｂ）
廻り部２８Ｂの構成は、上述した通り、廻り部２８Ａと同様であるため詳細な説明を割愛する。廻り部２８Ｂは、図２で示す廻り部２８Ａを時計回りに９０°回転させた向きで、下階直線部２６の上端部側に配置されている。
【００５５】
図２に示されるように、廻り部２８Ｂの上段階段部材３６では、上段踏板部４０の左辺部４０Ｂが階段室１２の前側壁１２Ｂ側に配置される、このため、左辺部４０Ｂから垂下された第２板部５２が柱１３Ｂ、１３Ｃとの取付面とされている。一例として、第２板部５２の長手方向両端部が柱１３Ｂ及び柱１３Ｃとブラケット（符号省略）を介してボルト締結されている。なお、柱１３Ｂに、ブラケットを介して第１板部５０が固定される構成としてもよい。
【００５６】
また、廻り部２８Ｂの下段階段部材３８では、第４板部７２が柱１３Ｃの近傍に配置され、柱１３Ｃへの取付面とされている。一例として、第４板部７２がブラケット（符号省略）を介して柱１３Ｃにボルト締結されている。なお、柱１３Ｃに、ブラケットを介して第５板部７４が固定される構成としてもよい。
【００５７】
また、下段階段部材３８では、下段踏板部６２の右辺部６２Ｃが下階直線部２６側に配置されている。このため、右辺部６２Ｃから垂下された第６板部７６が下階直線部２６の力桁３０との取付面とされている。一例として、第６板部７６が下階直線部２６の力桁３０に直接ボルト締結されている。なお、力桁３０に、ブラケットを介して第３板部７０又は第５板部７４が固定される構成としてもよい。
【００５８】
（作用・効果）
次に、本実施形態の作用並びに効果について説明する。
【００５９】
本実施形態に係る階段２２では、上階床部２０から建物下方側に傾斜して配置された上階直線部２４と、下階床部１８から建物上方側に傾斜して配置された下階直線部２６が一対の廻り部２８によって連結されている。また、廻り部２８は、鋼板の折り曲げ加工により形成された上段階段部材３６を含んで構成されている。
【００６０】
ここで、上段階段部材３６は、略水平方向に延在する上段踏板部４０と、上段踏板部４０の一端に設けられる蹴込板部と、踏板部の他端に設けられる上段取付板部４４と、が一体に形成されている。また、上段取付板部４４は、直接又は部材を介して間接的に上階直線部２４及び下階直線部２６を含む直線部２３に配置された力桁３０又は柱１３若しくはその両方に固定可能とされている。
【００６１】
このように、上段階段部材３６は、鋼板の折り曲げ加工により上段踏板部４０と蹴込板部４２を容易に形成すると共に、上段踏板部４０の一端に直線部２３の力桁３０や柱１３に固定される上段取付板部４４を一体形成することで直線部２３とは独立した構造体とすることができる。これにより、階段の廻り部が、直線部と一体に形成された桁を用いて支持される構造と比べて、直線部２３と廻り部２８の組み付け作業を別々に行うことができ、現場での施工負担が軽減される。
【００６２】
また、本実施形態では、上段階段部材３６の蹴込板部４２が、上段踏板部４０の一端から垂下されており、上段踏板部４０と下段踏板部６２との間に架け渡されている。ここで、蹴込板部４２と下段踏板部６２は、蹴込板部４２の下端部から上段踏板部４０側へ略水平に延在する固定フランジ部４６を介して固定されている。これにより、蹴込板部４２の固定部が廻り部２８の表面に露出されず、廻り部２８の表面に意匠面となる仕上げ材３４を設定する際の作業性を向上させることができる。
【００６３】
また、本実施形態では、上段階段部材３６の建物下方側に、下段階段部材３８が隣接して配置されており、この下段階段部材３８は、上述した上段階段部材３６と同様に、鋼板の折り曲げ加工により形成されている。そして、下段階段部材３８は、略水平方向に延在する下段踏板部６２と、下段踏板部６２の一端に設けられる下段取付板部６４とが一体に形成されている。また、下段取付板部６４は、直接又は部材を介して間接的に直線部２３に配置された力桁３０又は柱１３若しくはその両方に固定可能とされている。
【００６４】
このように、本実施形態では、それぞれ踏板を備える上段階段部材３６と下段階段部材３８が、独立した構造体として直線部２３の力桁３０や柱１３にそれぞれ固定されている。これにより、階段の廻り部に配置された複数の踏板を一体に形成する構造と比べて、廻り部２８の個々の部材が軽量化される。しかも、上段階段部材３６と下段階段部材３８は、鋼板を折り曲げてなる簡単な構成であるため、部品点数が少なく、取付作業が容易である。その結果、廻り部２８全体の組み付け作業を容易に行うことができる。
【００６５】
また、本実施形態では、上段階段部材３６と下段階段部材３８を、直線部２３の力桁３０や柱１３にボルト締結されている。このため、ボルトの締め込み具合を調整することで、上段踏板部４０と下段踏板部６２の水平位置を微調整することができる。これにより、廻り部の力桁に踏板が溶接される階段構造と比べて、階段の廻り部の組み付け精度を向上させることができる。
【００６６】
また、本実施形態では、上段階段部材３６と下段階段部材３８を組み付けた状態で、蹴込板部４２の階段幅方向の両側に、上段踏板部４０の下方側へ連通された空間４３が設けられている。このため、当該空間４３を通じて上段取付板部４４の裏側から固定部を確認でき、力桁３０や柱１３へ上段取付板部４４を固定する際の作業性を向上させることができる。
【００６７】
〔第２実施形態〕
以下、図６及び図７を用いて、第２実施形態に係る階段構造が適用された階段８４について説明する。なお、前述した第１実施形態と同一構成部分については、同一番号を付してその説明を割愛する。なお、図６には、上階直線部２４の下端部側に配置された廻り部８６Ａと力桁３０及び柱１３の取付構造が斜視図にて示されている。また、図７（Ａ）には、下段階段部材８８を構成する鋼板の展開図が示されている。また、図７（Ｂ）には、図７（Ａ）に示される鋼板を、図７（Ａ）の破線に沿って折り曲げてなる下段階段部材８８の斜視図が示されている。
【００６８】
これらの図に示されるように、階段８４では、廻り部８６を構成する下段階段部材８８の形状が第１実施形態の下段階段部材３８と異なる。
【００６９】
図７（Ａ）及び図７（Ｂ）に示されるように、下段階段部材８８は、所定の形状に打ち抜いた鋼板が折り曲げられることにより形成されており、略水平面に沿って延在する下段踏板部９０と、下段踏板部９０の一端に設けられた下段取付板部９２が一体に形成されている。なお、下段踏板部９０は、第１実施形態の下段踏板部６２に相当する部分として構成され、蹴込辺部９０Ａと、前辺部９０Ｂと、右辺部９０Ｃと、を有し、平面視で略三角形状をなしている。
【００７０】
下段取付板部９２は、蹴込辺部９０Ａの長手方向の一端から略鉛直下方側へ垂下された第３板部９４と、前辺部９０Ｂから略鉛直下方側へ垂下された第５板部９６とを備えている。第３板部９４は、第１実施形態の第３板部７０に相当し、上階直線部２４の力桁３０に図示しないボルトを用いて締結されている。また、第５板部９６は、第１実施形態の第５板部７４に相当する部分として構成されている。
【００７１】
ここで、第５板部９６の下端部には、当該下端部から下段踏板部９０側へ略水平に延在された水平フランジ部９８が設けられている。水平フランジ部９８の長手方向の両端部には、板厚方向に貫通した第７孔１００が２つずつ形成されている。この第７孔１００は、一対の第３ブラケット１０２に形成された貫通孔１０４に対応している。
【００７２】
第３ブラケット１０２は、柱１３Ａ、１３Ｂの側面にそれぞれ固定される接合部１０２Ａと、接合部１０２Ａの上端部に形成され、水平フランジ部９８が載置された載置面部１０２Ｂとを備えている。接合部１０２Ａは、断面略Ｌ字状の板体とされ、一方の側面が柱１３Ａ、１３Ｂに溶接等の方法で固定されている。載置面部１０２Ｂは、第３ブラケット１０２の他方の側面の上端部から略水平方向に板状に延材しており、板厚方向に貫通する２つの貫通孔１０４が形成されている。
【００７３】
図６に示されるように、水平フランジ部９８は、その両端部が一対の第３ブラケット１０２の載置面部１０２Ｂに載置されている。水平フランジ部９８の第７孔１００は、載置面部１０２Ｂの下方側から貫通孔１０４に挿入された図示しないボルトに締め込まれている。これにより、第５板部９６が、一対の第３ブラケット１０２を介して柱１３Ａ、１３Ｂに固定されている。
【００７４】
（作用・効果）
上記構成の階段８４は、基本的には第１実施形態に係る階段２２の構成を踏襲しているため、同様の作用及び効果を得ることができる。
【００７５】
また、本実施形態では、下段踏板部９０に一体形成された第５板部９６の下端部に略水平方向に延在された水平フランジ部９８が形成され、当該水平フランジ部９８が第３ブラケット１０２に載置された状態で、柱１３Ａ、１３Ｂに固定されている。これにより、下段踏板部９０は、水平フランジ部９８を第３ブラケット１０２に載置した状態で固定作業を行うことができるため、力桁３０及び柱１３との締結部の位置決めがし易く、施工性を向上させることができる。
【００７６】
〔第３実施形態〕
以下、図８〜図１０を用いて、第３実施形態に係る階段構造が適用された階段２００について説明する。なお、前述した第１実施形態と同一構成部分については、同一番号を付してその説明を割愛する。なお、図８には、上階直線部２４の下端部側に配置された廻り部２０２Ａと力桁３０及び柱１３の取付構造が分解斜視図にて示されている。また、図９（Ａ）には、上段階段部材２０４を構成する鋼板の展開図が示されている。また、図９（Ｂ）には、図９（Ａ）に示される鋼板を、図９（Ａ）の破線に沿って折り曲げてなる上段階段部材２０４の斜視図が示されている。また、図１０（Ａ）には、下段階段部材２０６を構成する下段踏板部２１０が平面図にて示されており、図１０（Ｂ）には、下段階段部材２０６を構成する枠状体２１２が斜視図にて示されている。
【００７７】
これらの図に示されるように階段２００の廻り部２０２では、下段踏板部２１０が枠状体２１２に載置され、しかも、上段階段部材２０４と枠状体２１２とが一対の固定部材２２４で連結されている点に特徴がある。
【００７８】
図９（Ａ）、図９（Ｂ）に示されるように、上段階段部材２０４は、第１実施形態の上段階段部材３６と同様に、所定の形状に打ち抜いた鋼板が折り曲げられることにより形成され、上段踏板部４０と、蹴込板部４２と、上段取付板部４４が一体に形成されている。また、本実施形態では、上段取付板部４４の第２板部２０８に後述する一対の固定部材２２４の一端部がボルト締結されている。第２板部２０８は、第１実施形態の第２板部５２に相当し、上段踏板部４０の左辺部４０Ｂから略鉛直下方側へ垂下され、正面視で略矩形状に形成されている。第２板部２０８には、長手方向の一端と中央部に、板厚方向に貫通する締結孔２２６が２つずつ形成されている。
【００７９】
下段階段部材２０６は、鋼板で構成された平板状の下段踏板部２１０と、平面視で略矩形フレーム状に形成された枠状体２１２と、を備えている。下段踏板部２１０は、第１実施形態の下段踏板部６２に相当する部分として構成され、蹴込辺部２１０Ａと、前辺部２１０Ｂと右辺部２１０Ｃと、を有し、平面視で略三角形状をなしている。また、蹴込辺部２１０Ａには、固定フランジ部４６のフランジ孔４８に対応する貫通孔２１４が形成されている。
【００８０】
図１０（Ｂ）に示されるように、枠状体２１２は、４本の溝形鋼２１６Ａ、２１６Ｂ、２１６Ｃ、２１６Ｄが溶接等の方法で矩形枠状に接合された構成となっている。なお、本実施形態では、互いに平行に配置された溝形鋼２１６Ａ，２１６Ｃの間に溝形鋼で構成された１本の補強梁２１８が架け渡されている。なお、枠状体２１２に補強梁２１８を設けない構成としてもよい。
【００８１】
図８に示されるように、枠状体２１２を構成する溝形鋼２１６Ａ、２１６Ｂ、２１６Ｃ、２１６Ｄのウエブ部には適宜板厚方向に貫通する貫通孔２２０が設けられ、直線部２３の力桁３０及び柱１３に図示しないボルトを用いてボルト締結されている。一例として、廻り部２０２Ａに配置された枠状体２１２では、上階直線部２４に面して配置された溝形鋼２１６Ｂの長手方向両端部に、上階直線部２４の力桁３０の貫通孔３１に対応する貫通孔２２０が形成されている。これにより、溝形鋼２１６Ｂが上階直線部２４の力桁３０に固定されている。また、溝形鋼２１６Ｃ及び溝形鋼２１６Ｄには、長手方向の一端に貫通孔２２０がそれぞれ設けられており、第１実施形態の第４板部７２、第６板部７６と同様に第１ブラケット５８及び第２ブラケット８０の貫通孔６０、８２に対応している。これにより、溝形鋼２１６Ｃ及び溝形鋼２１６Ｄが、第１ブラケット５８及び第２ブラケット８０を介して柱１３Ａ、柱１３Ｂに固定されている。
【００８２】
一方、下段踏板部２１０は、前辺部２１０Ｂと右辺部２１０Ｃの角部を枠状体２１２の角部に合わせて、枠状体２１２の上部に載置されている。この下段踏板部２１０は、枠状体２１２の上部に溶接等の方法で固定されている。この状態では、下段踏板部２１０によって、平面視で枠状体２１２の略半分が覆われている。
【００８３】
一対の固定部材２２４は、断面略Ｌ字状の長尺な板体（アングル）とされ、建物上下方向に延在する縦壁部２２４Ａと、縦壁部２２４Ａの下端部から略水平方向に延在する水平部２２４Ｂを備えている。縦壁部２２４Ａの上部には、第２板部２０８の締結孔２２６に対応する貫通孔（符号省略）が形成されており、当該貫通孔にボルト２２８が挿通され、第２板部２０８に締結されている。
【００８４】
一方、水平部２２４Ｂは、平面視で第２板部２０８に沿って配置された溝形鋼２１６Ｃの上フランジ部２１６Ｃ１に載置可能とされている。水平部２２４Ｂは、板厚方向に貫通する２つのアングル孔２３０が形成されている。アングル孔２３０は、溝形鋼２１６Ｃの上フランジ部２１６Ｃ１に形成された貫通孔２３２に対応しており、図示しないボルトを用いて溝形鋼２１６Ｃに固定されている。これにより、上段階段部材２０４と枠状体２１２が、一対の固定部材２２４により建物上下方向に連結されている。
【００８５】
なお、本実施形態では固定部材２２４を、第２板部２０８と溝形鋼２１６Ｃとの間に架け渡したが、固定部材２２４を第１板部５０と溝形鋼２１６Ｂとの間に架け渡す構成としてもよい。若しくは、第２板部２０８と溝形鋼２１６Ｃの間と、第１板部５０と溝形鋼２１６Ｂの間の両方に固定部材２２４を掛け渡す構成としてもよい。
【００８６】
（作用・効果）
上記構成の階段２００は、階段２００の廻り部２０２を直線部２３とは別の構造体にしているという点においては、第１実施形態に係る階段２２と同様の作用及び効果を得ることができる。
【００８７】
また、本実施形態では、下段階段部材２０６の下段踏板部２１０が、枠状体２１２に載置された状態で下方側から支持されている。このため、下段踏板部２１０の支持剛性が高められている。これにより、下段階段部材２０６を含む廻り部２０２全体の剛性を向上させることができる。
【００８８】
また、本実施形態の廻り部２０２では、上段階段部材２０４の上段踏板部４０が、一対の固定部材２２４を介して枠状体２１２に支持されている。これにより、下段踏板部２１０に加えて上段踏板部４０の支持剛性も高めることができ、廻り部の全体の剛性を一層向上させることができる。
【００８９】
また、上記構成によれば、枠状体２１２は、上段階段部材２０４と下段踏板部２１０を含めた廻り部２０２全体を建物下方側から支持している。このため、廻り部２０２は、予め製造工場で組み付けを行った後で施工現場に搬入することが可能とされる。このため、施工現場における工期を短縮し、階段２００の生産性を向上させることができる。
【００９０】
また、上述した廻り部２０２の構造によれば、製造工場において、作業台に載置された枠状体２１２の上部に上段階段部材２０４と下段踏板部２１０の組み付けを順次行うことができる。このため、枠状体２１２で上段踏板部４０及び下段踏板部２１０の水平位置を保ちながら廻り部２０２を形成することができ、出荷時の品質を向上させることができる。
【００９１】
〔第４実施形態〕
以下、図１１〜図１３を用いて、第４実施形態に係る階段構造が適用された階段３００について説明する。なお、前述した第１実施形態及び第３実施形態と同一構成部分については、同一番号を付してその説明を割愛する。なお、図１１には、上階直線部２４の下端部側に配置された廻り部３０２Ａが斜視図にて示されている。また、図１２には、廻り部３０２Ａが分解斜視図にて示されている。
【００９２】
これらの図に示されるように、本実施形態の廻り部３０２は、基本的には第３実施形態の廻り部２０２を踏襲しているが、上段階段部材３０４の蹴込板部３０６が一対の連結部材３１４及び枠状体２１２を介して下段階段部材３０８の下段踏板部３１０に固定されている点に特徴がある。
【００９３】
上段階段部材３０４は、上段踏板部４０の下辺部４０Ｃから、略鉛直下方側へ垂下された蹴込板部３０６を備えている。この蹴込板部３０６は、第１実施形態の蹴込板部４２に相当する部分として構成されているが、蹴込板部３０６の建物上下方向の寸法が蹴込板部４２に比べて若干小さく設定されている。また、蹴込板部３０６の下端部には、第１実施形態と同様の固定フランジ部４６が設けられている。
【００９４】
図１２に示されるように、下段階段部材３０８は、鋼板で構成され、平面視で略三角形状の下段踏板部３１０と、下段踏板部を下方側から支持する平面視矩形フレーム状の枠状体２１２を備えている。枠状体２１２は、第３実施形態の枠状体２１２と同様の構成であるため、詳細な説明を割愛する。枠状体２１２には、互いに直交するように配置された溝形鋼２１６Ａ，２１６Ｄの間に補強梁３１２が架け渡されている。補強梁３１２は、溝形鋼で形成されており、平面視で溝形鋼のウエブ部３１２Ａが上段踏板部４０の下辺部４０Ｃに沿って配置され、ウエブ部３１２Ａの上下両端部に形成されたフランジ部（符号省略）が下辺部４０Ｃに対して離間する方向に延在するように配置されている。
【００９５】
下段踏板部３１０は、上述した枠状体２１２の上部に載置されている。具体的には、下段踏板部３１０の周縁部が、枠状体２１２の溝形鋼２１６Ａ、２１６Ｄと補強梁３１２の上面に載置されて溶接等の方法で固定されている（図１１参照）。
【００９６】
一方、補強梁３１２のウエブ部３１２Ａにおける上段階段部材３０４側の側面には、一対の連結部材３１４の下部が固定されている。一対の連結部材３１４は、断面略Ｌ字状の長尺な板体とされ、建物上下方向に延在する縦壁部３１４Ａと、縦壁部３１４Ａの上端部から略水平方向に延在する水平部３１４Ｂを備えている。
【００９７】
連結部材３１４の縦壁部３１４Ａの下端部には、板厚方向に貫通する貫通孔（符号省略）が形成されている、当該貫通孔は、補強梁３１２のウエブ部３１２Ａに形成された貫通孔（符号省略）に対応しており、双方の貫通孔にボルト３１６が挿通されて、連結部材３１４の下部が補強梁３１２にボルト締結されている。また、連結部材３１４の水平部３１４Ｂには、板厚方向に貫通する貫通孔３１８が形成されている。この貫通孔３１８は、蹴込板部３０６の固定フランジ部４６に設けられた貫通孔（符号省略）に対応しており、固定フランジ部４６を水平部３１４Ｂに載置した状態で、ボルト３２０を用いて締結されている。このように、連結部材３１４は、上端部（一端）が固定フランジ部４６に固定され、下端部（他端）が枠状体２１２の補強梁３１２を介して下段踏板部３１０に固定されている。これにより、蹴込板部３０６が一対の連結部材３１４及び枠状体２１２を介して下段階段部材３０８の下段踏板部３１０に固定されている。
【００９８】
また、この状態において、蹴込板部３０６は下段踏板部３１０から若干浮いた状態で連結部材３１４に支持されており、蹴込板部３０６と下段踏板部３１０の間に隙間３２２が形成されている（図１１参照）。
【００９９】
ここで、図１３には、蹴込板部３０６を上段階段部材３０４の裏側から見た部分斜視図が示されている。この図に示されるように、蹴込板部３０６と下段踏板部３１０の表面には、仕上げ材３４が設定される。この仕上げ材３４は、建物上下方向に立設し蹴込板部３０６の意匠面を構成する蹴込仕上げ材３４Ａと、下段踏板部３１０に載置され下段踏板部３１０の意匠面を構成する踏板仕上げ材３４Ｂとによって、側面視で略Ｌ字状をなしている。
【０１００】
蹴込仕上げ材３４Ａと踏板仕上げ材３４Ｂは、蹴込仕上げ材３４Ａの下端部に踏板仕上げ材３４Ｂの後端部が突き当てられており、突き当て部３４Ｃとされている。そして、この突き当て部３４Ｃに対して略水平方向に打ち込まれた複数のビス３２４によって蹴込仕上げ材３４Ａに踏板仕上げ材３４Ｂが固定されている。
【０１０１】
仕上げ材３４の設定は、まず、蹴込板部３０６、及び下段踏板部３１０の表面を覆うように蹴込仕上げ材３４Ａと蹴込仕上げ材３４Ａを配置する。その後、廻り部３０２の裏側（蹴込板部３０６の裏側）に作業者が入り込み、蹴込板部３０６と下段踏板部３１０の間の隙間３２２を通じて、突き当て部３４Ｃに対してビス３２４を打ち込むことにより完了する。なお、仕上げ材３４は、予め、蹴込仕上げ材３４Ａに踏板仕上げ材３４Ｂを固定し、蹴込板部３０６及び下段踏板部３１０に設定される構成としてもよい。
【０１０２】
（作用・効果）
上記構成の階段３００は、基本的には第３実施形態に係る階段２００の構成を踏襲しているため、同様の作用及び効果を得ることができる。
【０１０３】
また本実施形態では、固定フランジ部４６が連結部材３１４及び枠状体２１２を介して下段踏板部３１０に固定されることにより、蹴込板部３０６と下段踏板部３１０との間に隙間３２２が形成されている。このため、蹴込板部３０６と下段踏板部３１０の表面に仕上げ材３４を設定する際に、蹴込側と踏板側の仕上げ材を廻り部に別々に運び入れた後に固定することが可能となる。
【０１０４】
具体的には、先ず、蹴込板部３０６に沿って立設された蹴込仕上げ材３４Ａと下段踏板部に載置される踏板仕上げ材３４Ｂとを設置場所に置く。その後、蹴込板部３０６の裏側に入り込んだ作業者が、蹴込仕上げ材３４Ａの下端部と踏板仕上げ材３４Ｂの後端部との突き当て部３４Ｃにビス３２４を打ち込んで仕上げ材同士を固定する（図１３参照）。
【０１０５】
このように仕上げ材３４を設定することで、施工スペースの狭い建築現場で作業する場合でも、蹴込仕上げ材３４Ａと踏板仕上げ材３４Ｂを別々に運び入れた後に固定することができ、これらを予め固定した状態で運び入れて施工する場合に比べて作業スペースを必要としない。よって、比較的施工スペースが狭い建築現場においても、階段３００の廻り部３０２に対して容易に仕上げ材３４を設定することができる。
[補足説明]
以上、上述した各実施形態の構成は、適宜組み合わせることが可能とされている。
【０１０６】
例えば、上記各実施形態では、上段取付板部４４と直線部２３の力桁３０が直接ボルト締結される構成としたが、本発明はこれに限らず、上段取付板部と直線部の力桁がブラケットを介して固定される構成としてもよい。
【０１０７】
また、上記各実施形態では、廻り部２８、８６、２０２、３０２が一つの上段階段部材３６、２０４、３０４を備える構成としたが、本発明はこれに限らず、廻り部が複数の上段階段部材を備える構成としてもよい。例えば、一の上段階段部材の建物下方側に他の上段階段部材を隣接して配置し、さらに、当該他の上段階段部材の建物下方側に下段階段部材を配置する構成としてもよい。
【０１０８】
また、上記各実施形態では、廻り部２８、８６、２０２、３０２の構成部材同士をボルト締結する構成としたが、本発明はこれに限らず、溶接等の方法で固定してもよい。
【０１０９】
また、上記各実施形態では、廻り部２８、８６、２０２、３０２を折り返し階段の廻り部に適用したが、本発明はこれに限らず、かね折れ階段に廻り部２８、８６、２０２、３０２を適用してもよい。例えば図１４に示す階段４００ように、互いに昇降方向の直交する上階直線部４０２の下端部と下階直線部４０４の上端部が、第１実施形態と同様の廻り部２８Ａで結ばれる構成としてもよい。
【０１１０】
なお、上記各実施形態において、ボルトとナットによる部材同士の締結点数は、適宜増減が可能である。
【０１１１】
また、上記第１実施形態では、上段階段部材３６及び下段階段部材３８に補剛部材６１を設けて上段踏板部４０及び下段踏板部６２の支持剛性を高める構成としたが、本発明はこれに限らない。上段踏板部４０及び下段踏板部６２の支持剛性が、これらの板厚によって確保できる場合は、補剛部材６１を設けない構成としてもよい。一方、これとは逆に、上記実施形態では、上段階段部材３６及び下段階段部材３８にそれぞれ１つの補剛部材６１を設ける構成としたが、複数の補剛部材６１を設ける構成としてもよい。
【０１１２】
さらに言えば、補剛部材６１は、第１実施形態に限らず、第２実施形態〜第４実施形態に記載された上段階段部材３６、２０４、３０４や、下段階段部材８８、２０６、３０８に設けることも可能である。各実施形態において、上段踏板部４０及び下段踏板部９０、２１０、３１０の板厚に応じて補剛部材６１を適宜設定し、これらの支持剛性を高めることができる。
【０１１３】
また、上記第３実施形態及び第４実施形態では、上段階段部材２０４、３０４が枠状体２１２と一対の固定部材２２４で連結される構成としたが、本発明はこれに限らず、１本の固定部材２２４で連結する構成でもよく、又は、３本以上の固定部材２２４で連結する構成としてもよい。
【０１１４】
また、上記第４実施形態では、固定フランジ部４６と下段踏板部３１０とが一対の連結部材３１４を介して固定される構成としたが、本発明はこれに限らず、３本以上の連結部材３１４を介して固定される構成としてもよい。
【符号の説明】
【０１１５】
１３    柱
１８    下階床部（下階の床部）
２０    上階床部（上階の床部）
２２    階段
２３    直線部
２４    上階直線部
２６    下階直線部
２８    廻り部
３０    力桁
３６    上段階段部材（階段部材）
３８    下段階段部材
４０    上段踏板部（踏板部）
４２    蹴込板部
４４    上段取付板部（取付板部）
４６    固定フランジ部
６２    下段踏板部
６４    下段取付板部
８４    階段
８６    廻り部
８８    下段階段部材
９０    下段踏板部
９２    下段取付板部
２００  階段
２０２  廻り部
２０４  上段階段部材
２０６  下段階段部材
２１０  下段踏板部
２１２  枠状体
２２４  固定部材
３００  階段
３０２  廻り部
３０４  上段階段部材
３０６  蹴込板部
３０８  下段階段部材
３１０  下段踏板部
３１４  連結部材
３２２  隙間
４００  階段
４０２  上階直線部
４０４  下階直線部
【図１】
2020105824.tif 000003
【図２】
2020105824.tif 000004
【図３】
2020105824.tif 000005
【図４】
2020105824.tif 000006
【図５】
2020105824.tif 000007
【図６】
2020105824.tif 000008
【図７】
2020105824.tif 000009
【図８】
2020105824.tif 000010
【図９】
2020105824.tif 000011
【図１０】
2020105824.tif 000012
【図１１】
2020105824.tif 000013
【図１２】
2020105824.tif 000014
【図１３】
2020105824.tif 000015
【図１４】
2020105824.tif 000016